(57)【要約】      （修正有）【課題】局部の状態を目視により確認することができる洗浄便座を提供する。【解決手段】筒状の洗浄ノズル（洗浄手段）１を備えた洗浄便座１０において、この洗浄ノズル１をなす筒内部に収納可能な円筒体状のカメラ部（撮像手段）２と、便器の横方向の一方に突出して設けられた液晶表示画面（表示手段）３及びカメラ部操作パネル４と、便器の横方向の他方に突出して設けられた洗浄ノズル操作パネル５と、を備えた構成とした。そして、カメラ部２で撮像して作成した局部の画像を、液晶表示画面３に表示することで、局部の状態を目視により確認できるようにした。【選択図】図１
2008202282.tif 000002
【特許請求の範囲】
【請求項１】
局部を洗浄する洗浄手段を備えた洗浄便座において、
前記局部を撮像して画像を生成する撮像手段と、当該撮像手段で生成された画像を表示する表示手段と、を備えたことを特徴とする洗浄便座。
【請求項２】
局部を洗浄する洗浄手段を備えた洗浄便座において、
前記局部を撮像して画像を生成する撮像手段と、前記画像を携帯端末に送信可能な送信手段と、を備え、前記撮像手段で生成された画像が、前記送信手段を介して、前記携帯端末の表示手段に表示されるように構成したことを特徴とする洗浄便座。
【請求項３】
前記撮像手段を、前記洗浄手段の一部に設けたことを特徴とする請求項１又は２に記載の洗浄便座。
【請求項４】
前記撮像手段を、前記洗浄手段とは別に制御される取り付け手段に設けたことを特徴とする請求項１又は２に記載の洗浄便座。
【請求項５】
前記洗浄手段、前記取り付け手段、又は洗浄便座本体に、前記局部の周囲を照らす照明手段を備えたことを特徴とする請求項１から４のいずれかに記載の洗浄便座。
【請求項６】
前記表示手段に表示された画像において所定箇所を指定すると、当該所定箇所を洗浄可能となるように前記洗浄手段の洗浄条件が制御されるように構成したことを特徴とする請求項１から５のいずれかに記載の洗浄便座。
【請求項７】
局部を洗浄する洗浄手段を備えた洗浄便座に着脱自在な構成を有し、
前記局部を撮像して画像を生成する撮像手段と、当該撮像手段で生成された画像を表示する表示手段と、を備えたことを特徴とする洗浄便座用局部表示装置。
【請求項８】
局部を洗浄する洗浄手段を備えた洗浄便座に着脱自在な構成を有し、
前記局部を撮像して画像を生成する撮像手段と、前記画像を携帯端末に送信可能な送信手段と、を備え、前記撮像手段で生成された画像が、前記送信手段を介して、前記携帯端末の表示手段に表示されるように構成したことを特徴とする洗浄便座用局部表示装置。
【発明の詳細な説明】
【技術分野】
【０００１】
本発明は、肛門等の局部を洗浄する洗浄機能を備えた洗浄便座に関し、特に、衛生管理だけでなく、医療、福祉、介護等の幅広い分野で有効に活用することができる洗浄便座に関するものである。
【背景技術】
【０００２】
従来、洗浄ノズルから噴射させた洗浄水で局部を洗浄する洗浄機能を備えた洗浄便座においては、より快適性を確保するために様々な機能を付加したものが提案されている。
【０００３】
特許文献１では、使用者が便座に着席した際の不快感を払拭するために、便座を暖める暖房機能を備えた洗浄便座が提案されている。
特許文献２では、トイレットペーパの消費量を低減させたり、痔の治療を効果的に行ったりするために、洗浄後に局部を乾燥させる乾燥機能を備えた洗浄便座が提案されている。
特許文献３では、排泄後に便器内の臭気を除去する脱臭機能を備えた洗浄便座が提案されている。
特許文献４では、赤外線センサ等で使用者の便座への着席状態を検知し、洗浄ノズルを迅速且つ確実に作動させる着席センサ機能を備えた洗浄便座が提案されている。
【０００４】
【特許文献１】特開平８−２２８９６４号公報
【特許文献２】特開２００６−１２５１９３号公報
【特許文献３】特開２００７−２６２８号公報
【特許文献４】特開２００６−２９９５５０号公報
【発明の開示】
【発明が解決しようとする課題】
【０００５】
しかしながら、上述した特許文献１〜特許文献４に記載の洗浄便座においては、いずれも局部の状態を目視により確認することができないため、局部の洗浄状態を把握することが難しく、局部の衛生管理を確実に行うという点でさらなる改善の余地があった。
【０００６】
そこで、本発明は、上記事情に鑑みてなされたものであり、局部の状態を目視により確認することができる洗浄便座を提供することを課題としている。
【課題を解決するための手段】
【０００７】
このような課題を解決するために、本発明に係る第一の洗浄便座は、局部を洗浄する洗浄手段を備えた洗浄便座において、前記局部を撮像して画像を生成する撮像手段と、当該撮像手段で生成された画像を表示する表示手段と、を備えた構成としている。
本発明に係る第一の洗浄便座によれば、局部を撮像して画像を生成する撮像手段と、当該撮像手段で生成された画像を表示する表示手段とを備えたことにより、局部の状態を目視により確認することができる。よって、局部の洗浄状態を把握することで、局部の衛生管理を確実に行うことが可能になるとともに、局部に薬を塗布等する場合には、鏡を使用したり、他人の助けを借りたりすることなく、自ら確実に行うことが可能となる。
【０００８】
本発明に係る第二の洗浄便座は、局部を洗浄する洗浄手段を備えた洗浄便座において、前記局部を撮像して画像を生成する撮像手段と、前記画像を携帯端末に送信可能な送信手段と、を備え、前記撮像手段で生成された画像が、前記送信手段を介して、前記携帯端末の表示手段に表示されるように構成している。
本発明に係る第二の洗浄便座によれば、局部を撮像して画像を生成する撮像手段と、画像を携帯端末に送信可能な送信手段と、を備え、撮像手段で生成された画像が、送信手段を介して、携帯端末の表示手段に表示されるように構成されているため、使用者自身の有する携帯端末の表示手段で局部の状態を目視により確認することができる。よって、局部の洗浄状態を把握することで、局部の衛生管理を確実に行うことが可能になるとともに、局部に薬を塗布等する場合には、鏡を使用したり、他人の助けを借りたりすることなく、自ら確実に行うことが可能となる。
【０００９】
また、本発明に係る第二の洗浄便座によれば、洗浄便座本体に表示手段を備えず、携帯端末の表示手段に局部の画像を表示できる構成としたことにより、洗浄便座自体の小型化や、製造コストの低減を実現することができる。
なお、住宅やホテル等のように個室が比較的広い場合には、洗浄便座本体に表示手段を備えた第一の洗浄便座を設置することが好ましく、デパートや公共施設等のように個室が比較的狭い場合には、携帯端末の表示手段を利用した第二の洗浄便座を設置することが好ましい。
【００１０】
ここで、本発明に係る第一及び第二の洗浄便座においては、前記撮像手段を、前記洗浄手段の一部に設けた構成としてもよいし、前記洗浄手段とは別に制御される取り付け手段に設けた構成としてもよい。
また、本発明に係る第一及び第二の洗浄便座においては、前記洗浄手段、前記取り付け手段、又は洗浄便座本体に、前記局部の周囲を照らす照明手段を備えた構成としてもよい。この構成によれば、表示手段に表示される局部の画像における照度を適宜調整することができるため、局部の状態をより精度よく確認することが可能となる。
【００１１】
さらに、本発明に係る第一及び第二の洗浄便座においては、前記表示手段に表示された画像において所定箇所を指定すると、当該所定箇所を洗浄可能となるように前記洗浄手段の洗浄条件が制御されるように構成してもよい。この構成によれば、実際に表示された画像で局部の状態を確認した際に、洗浄しきれていない箇所を指定すると、その部分を確実に洗浄することが可能となる。
【００１２】
さらに、本発明に係る第一の洗浄便座用局部表示装置は、局部を洗浄する洗浄手段を備えた洗浄便座に着脱自在な構成を有し、前記局部を撮像して画像を生成する撮像手段と、当該撮像手段で生成された画像を表示する表示手段と、を備えた構成となっている。
さらに、本発明に係る第二の洗浄便座用局部表示装置は、局部を洗浄する洗浄手段を備えた洗浄便座に着脱自在な構成を有し、前記局部を撮像して画像を生成する撮像手段と、前記画像を携帯端末に送信可能な送信手段と、を備え、前記撮像手段で生成された画像が、前記送信手段を介して、前記携帯端末の表示手段に表示されるように構成している。
【００１３】
本発明に係る第一及び第二の洗浄便座用局部表示装置によれば、撮像手段や表示手段を洗浄便座本体とは別個に設け、洗浄便座に着脱自在な構成としたことにより、洗浄便座本体を取り替えるのではなく、既存の洗浄便座に取り付けることで、局部の状態を目視により確認することができる。よって、局部の衛生管理を確実に行うことができる洗浄便座をより低コストで実現することが可能となる。また、この洗浄便座用局部表示装置を使用者が携帯すれば、外出先でも局部の衛生管理が行えるため、局部の衛生管理をより確実に行うことが可能となる。
なお、本発明において携帯端末とは、外部情報を読み取り可能な携帯用の情報処理端末であれば特に限定されず、例えば、携帯電話、ＰHＳ、携帯型ノートパソコン等が挙げられる。
【発明の効果】
【００１４】
本発明に係る洗浄便座によれば、局部の状態を目視により確認することができるため、局部の洗浄状態を把握できるとともに、局部への薬の塗布等を自ら正確に行うことが可能となる。よって、本発明に係る洗浄便座によれば、局部の衛生管理を確実に行えるだけでなく、医療、福祉、介護等の幅広い分野で有効に活用することができる。
【００１５】
本発明に係る洗浄便座用局部表示装置によれば、既存の洗浄便座を利用して、局部の状態を目視により確認することが可能となる。よって、本発明に係る洗浄便座用局部表示装置によれば、局部の衛生管理を確実に行うことができる洗浄便座をより低コストで実現することができる。また、本発明に係る洗浄便座用局部表示装置を携帯することにより、局部の衛生管理をより確実に行うことが可能となる。
【発明を実施するための最良の形態】
【００１６】
以下、本発明の実施形態について図面を参照しながら詳細に説明する。
＜第一実施形態＞
図１は、本発明に係る洗浄便座の一例を示す平面図である。図２は、図１の洗浄便座における洗浄ノズルを示し、（ａ）はカメラ部を使用していない場合の斜視図、（ｂ）はカメラ部を使用している場合の斜視図である。図３は、図１の洗浄便座における液晶表示画面を示す平面図である。
【００１７】
この洗浄便座１０は、図１に示すように、その後方部から便器内部に突出して設けられた筒状の洗浄ノズル（洗浄手段）１と、この洗浄ノズル１をなす筒内部に収納可能な円筒体状のカメラ部（撮像手段）２と、便器の横方向の一方に突出して設けられた液晶表示画面（表示手段）３及びカメラ部操作パネル４と、便器の横方向の他方に突出して設けられた洗浄ノズル操作パネル５と、を備えた構成となっている。
【００１８】
洗浄ノズル１は、図２に示すように、その周面に洗浄水の噴射口１１が設けられているとともに、その突出方向が洗浄便座１０の上下左右方向に調整可能で、且つ、その突出長さが調整可能となっており、洗浄水の噴射方向が制御できるようになっている。すなわち、この洗浄ノズル１は、洗浄水の水量や水勢を調整したり、洗浄水の噴射方向を調整したりすることにより、洗浄条件を制御できる。さらに、この洗浄ノズル１の周面には、カメラ部２により局部を撮像する際に局部の周囲を照らす照明装置（照明手段）１２が設けられている。
【００１９】
カメラ部２は、図２に示すように、その円筒体の周面にレンズ２１を備えており、その円筒体を周方向に所定範囲回転させることで、撮像位置が調整可能となっている。また、カメラ部２をなす円筒体には、その周面に所定間隔を空けて突設された複数枚（本実施形態では４枚）のブレード２２Ａからなるワイパー２２を備え、このワイパー２２のブレード２２Ａを円筒体の周方向に回転させることで、レンズ２１に付着した水滴や曇りを払拭できるように構成されている。さらに、このカメラ部２は、不使用時には、図２（ａ）に示すように、洗浄ノズル１をなす筒内部に収納され、使用時には、図２（ｂ）に示すように、洗浄ノズル１から外部に所定量突出するように構成されている。ここで、カメラ部２をなす円筒体の回転角度や、洗浄ノズル１からの突出量を調整することにより、撮像位置を調整することができる。
【００２０】
液晶表示画面３は、図３に示すように、カメラ部２で局部を撮像することで生成した画像を表示するように構成されている。また、この液晶表示画面３は、カメラ部２で撮像することで生成した画像を、必要に応じて倍率を変えて表示できるように構成されている。
【００２１】
カメラ部操作パネル４は、図３に示すように、カメラ部２の電源ボタン４１に加えて、画像の倍率を調整するズームボタン４２、カメラ部２のワイパー２２を制御するワイパーボタン４３、照明装置１２からの光量を調整する照度調整ボタン４４、カメラ部２の撮像方向を調整する方向調整ボタン４５を備えている。
【００２２】
洗浄ノズル操作パネル５は、図１に示すように、洗浄ノズル１の電源スイッチ５１に加えて、洗浄ノズル１により洗浄する局部（おしり、ビデ）を選択するための選択ボタン５２、洗浄水の水量・水勢・噴射方向を調整する洗浄条件調整ボタン５３を備えている。
【００２３】
この洗浄便座１０において、洗浄ノズル１による局部の洗浄状態を把握したり、局部に薬を塗布等したりするために、局部を目視により確認したい場合には、まず、カメラ部２の電源スイッチ４１をＯＮにする。これにより、カメラ部２は洗浄ノズル１から自動的に突出して撮像を開始し、液晶表示画面３にはカメラ部２で撮像することにより生成された局部の画像が表示される。
次に、カメラ部操作パネル４においてズームボタン４２、照度調整ボタン４４、方向調整ボタン４５等を適宜押して、カメラ部２の撮像位置、画像の倍率、照度等を調整して、必要な箇所の画像が液晶表示画面３に表示されるようにする。そして、使用者は、液晶表示画面３に表示された局部の画像により、局部の洗浄状態や薬の塗布状態を確認し、必要に応じて、再度洗浄を行ったり、再度薬を塗布したりする。
【００２４】
すなわち、本実施形態における洗浄便座１０によれば、局部を撮像して画像を生成するカメラ部２と、このカメラ部２で生成された画像を表示する液晶表示画面３を備えたことにより、局部の状態を目視により確認することができる。よって、局部の洗浄状態を把握することで、局部の衛生管理を確実に行うことができるとともに、局部に薬を塗布等する場合には、鏡を使用したり、他人の助けを借りたりすることなく、自ら確実に塗布することができる。
【００２５】
また、本実施形態における洗浄便座１０によれば、カメラ部２を洗浄ノズル１と一体型で構成したことにより、部品点数を少なくし、部品の取り付け作業や部品の洗浄作業を削減できる。
さらに、本実施形態における洗浄便座１０によれば、画像の倍率を調整するズーム機能や、カメラ部２のレンズ２１に付着した水滴や曇りを払拭するワイパー２２や、局部周囲の照度を調整する照明装置１２を備えたり、カメラ部２の撮像方向を調整するためにカメラ部２をなす円筒体を回転可能としたりすることにより、局部の状態をより精度よく表示することができる。
【００２６】
なお、本実施形態では、洗浄ノズル１の筒内部にカメラ部２を収納可能に設けた場合について説明したが、洗浄ノズル１におけるカメラ部２の設置場所はこれに限らず、例えば、洗浄ノズル１の周面にカメラ部２を設けてもよい。
このような洗浄便座１０の一例を図４に示す。この洗浄便座１０は、図４に示すように、不使用時には閉じ、使用時には開くように、洗浄ノズル１の軸方向に可動可能なワイパー内蔵型シャッター１３と、撮像位置を調整するために洗浄ノズル１の周方向に所定範囲回転可能なカメラ部２と、を備えた構成となっている。
【００２７】
＜第二実施形態＞
第二実施形態では、上述した第一実施形態で示した洗浄便座１０において、カメラ部２を洗浄ノズル１とは別に制御される取り付けアーム（取り付け手段）６Ａに設けた場合について説明する。
図５は、本発明に係る洗浄便座の他の例を示し、（ａ）はカメラ部を使用していない場合の平面図、（ｂ）はカメラ部を使用している場合の平面図である。
【００２８】
この洗浄便座１０は、図５に示すように、その後方部から便器内部に突出して設けられた筒状の洗浄ノズル（洗浄手段）１と、この洗浄ノズル１と干渉しないように制御され、便器内の側壁に沿って固定された一端６１を支点として便器内部に突出可能な取り付けアーム６Ａと、この取り付けアーム６Ａの先端に設けられたカメラ部（撮像手段）２と、便器の横方向の一方に突出して設けられた液晶表示画面（表示手段）３及びカメラ部操作パネル４と、便器の横方向の他方に突出して設けられた洗浄ノズル操作パネル５と、を備えた構成となっている。
【００２９】
洗浄ノズル１は、上述した第一実施形態と同様に、その周面に噴射口１１と照明装置１２が設けられており、その突出方向は洗浄便座１０の上下左右方向に調整可能となっている。
カメラ部２は、図５に示すように、設置された取り付けアーム６Ａの上面にレンズ２１を備え、その取り付けアーム６Ａを移動させることで、撮像位置が調整可能となっている。また、このレンズ２１の上面に設けられたシャッターには、レンズ２１に付着した水滴や曇りを払拭可能なワイパーが内蔵されている。さらに、このカメラ部２のレンズ２１は、カメラ部２の不使用時には、シャッターが閉じられ、カメラ部２の使用時には、シャッターが開くように構成されている。
取り付けアーム６Ａは、カメラ部２の不使用時には、便器内の側壁に沿って待機し、カメラ部２の使用時に、カメラ部操作パネル４においてカメラ部２の電源スイッチ４１をＯＮにすると、自動的に便器内部に突出し、方向調節ボタン４５によりカメラ部２の撮像位置が調整できるように構成されている。
なお、液晶表示画面３、カメラ部操作パネル４、及び洗浄ノズル操作パネル５はいずれも、上述した第一実施形態と略同様の構成となっている。
【００３０】
この洗浄便座１０において、洗浄ノズル１による局部の洗浄状態を把握したり、局部に薬を塗布等したりするために、局部を目視により確認したい場合には、まず、カメラ部２の電源スイッチ４１をＯＮにする。これにより、取り付けアーム６が便器内部の所定位置まで突出し、カメラ部２におけるレンズ２１のシャッターが開いて撮像を開始し、液晶表示画面３にはカメラ部２で撮像することにより生成された局部の画像が表示される。
次に、カメラ部操作パネル４においてズームボタン４２、照度調整ボタン４４、方向調整ボタン４５等を適宜押して、カメラ部２の撮像位置、画像の倍率、照度等を調整して、必要な箇所の画像が液晶表示画面３に表示されるようにする。そして、使用者は、液晶表示画面３に表示された局部の画像により、局部の洗浄状態や薬の塗布状態を確認し、必要に応じて、再度洗浄を行ったり、再度薬を塗布したりする。
【００３１】
すなわち、本実施形態における洗浄便座１０によれば、上述した第一実施形態と同様の効果に加えて、カメラ部２を洗浄ノズル１と別体型の構成としたことにより、既存の洗浄便座に、カメラ部２が設置された取り付けアーム６Ａと、液晶表示画面３と、カメラ部操作パネル４とを後付けすることで、局部の状態を目視により確認することができる。よって、局部の衛生管理を確実に行え、医療、福祉、介護等の幅広い分野で有効に活用できる洗浄便座１０を、既存の洗浄便座を利用して実現することが可能となる。
【００３２】
なお、本実施形態では、カメラ部２を便器内の側壁に沿って設けられた取り付けアーム６Ａの先端に設けた場合について説明したが、カメラ部２の設置場所はこれに限らず、例えば、洗浄ノズル１と平行に便器後方部から突出可能に設けられた取り付け部材（取り付け手段）の先端にカメラ部２を設けてもよい。
【００３３】
このような洗浄便座１０の一例を図６に示す。この洗浄便座１０は、図６に示すように、洗浄ノズル１の設置場所よりも上方に、この洗浄ノズル１と平行に突出可能な取り付け部材６Ｂを設け、この取り付け部材６Ｂの先端にカメラ部２を備えた構成となっている。ここで、洗浄ノズル１と取り付け部材６Ｂは、いずれも突出長さが調整でき、洗浄ノズル１と取り付け部材６Ｂとは別に制御するように構成されている。
また、カメラ部２のレンズ２１は、取り付け部材６Ｂの周面に設けられ、取り付け部材６Ｂを周方向に所定範囲回転させることで、撮像位置を調整できるように構成されている。
さらに、カメラ部２のレンズ２１の上面には、カメラ部２の不使用時には閉じ、使用時には開くように構成されたワイパー内蔵型シャッターが設けられている。
【００３４】
また、上述した第一及び第二実施形態では、液晶表示画面３や各種操作パネル４，５を便器の横方向に突出させて設けたが、液晶表示画面２や各種操作パネル４，５の設置場所はこれに限らず、例えば、便器近傍の壁面に設けても構わない。さらにまた、液晶表示画面２及び各種操作パネル４，５の少なくとも一つを備えたコントローラを、伸縮可能ワイヤや赤外線信号等を介して、便器に対して着脱自在な構成としてもよい。これによれば、排泄等を補助・介護する介護者が液晶表示画面２や各種操作パネル４，５を手に持って操作することができ、介護者による操作が容易になるため、医療、福祉、介護等の幅広い分野でより有効に活用することができる。
【００３５】
さらに、上述した第一及び第二実施形態では、洗浄部操作パネル５を使用者が操作して、洗浄ノズル１による洗浄条件を調整する場合について説明したが、洗浄ノズル１による洗浄条件の調整方法はこれに限らない。例えば、図７に示すように、液晶表示画面３に表示された画像において所定箇所を指定すると、当該所定箇所を洗浄するように、洗浄ノズル１の洗浄条件が制御されるように構成してもよい。
ここで、図７に示す液晶表示画面３では、液晶表示画面３をタッチパネル式に構成して、使用者が指等で触れることで出現させたターゲットマーク３１を移動させることにより、所定箇所を指定するように構成している。
【００３６】
＜第三実施形態＞
本実施形態では、上述した第一実施形態及び第二実施形態で示した洗浄便器１０において、液晶表示画面３の代わりに、使用者が有する携帯電話（携帯端末）８に画像を送信可能な送信装置（送信手段）と、この送信装置に携帯電話８を接続可能な接続端子７とを備え、当該接続端子７に接続させた携帯電話８の表示画面（表示手段）８１に、カメラ部２で作成した局部の画像を表示する構成について説明する。
図８は、本発明に係る洗浄便座の他の例を示す平面図である。
【００３７】
この洗浄便座１０は、図８に示すように、その後方部から便器内部に突出して設けられた筒状の洗浄ノズル（洗浄手段）１と、この洗浄ノズル１をなす筒内部に収納可能な円筒体状のカメラ部（撮像手段）２と、便器の横方向の一方に突出して設けられたカメラ部操作パネル４と、このカメラ部操作パネル４の近傍に設けられ、使用者が有する携帯電話８に接続可能な接続端子７と、便器の横方向の他方に突出して設けられた洗浄ノズル操作パネル５と、を備えた構成となっている。
【００３８】
この洗浄便座１０において、洗浄ノズル１による局部の洗浄状態を把握したり、局部に薬を塗布等したりするために、局部を目視により確認したい場合には、まず、使用者の有する携帯電話８を接続端子７に接続するとともに、カメラ部２の電源スイッチ４１をＯＮにする。これにより、カメラ部２は洗浄ノズル１から自動的に突出して撮像を開始して、撮像により作成された画像は送信装置から接続端子７を介して携帯電話８に送られ、その表示画面８１に局部の画像が表示される。
この時、カメラ部操作パネル４においてズームボタン４２、照度調整ボタン４４、方向調整ボタン４５等を適宜押して、カメラ部２の撮像位置、画像の倍率、照度等を調整し、必要な箇所の画像が携帯電話８の表示画面８１に表示されるようにする。そして、使用者は、携帯電話８の表示画面８１に表示された局部の画像により、局部の洗浄状態や薬の塗布状態を確認し、必要に応じて、再度洗浄を行ったり、再度薬を塗布したりする。
【００３９】
すなわち、本実施形態における洗浄便座１０によれば、使用者の携帯電話８に画像を送信可能な送信装置を備えたことにより、使用者の携帯電話８の表示画面８１を利用して、局部の状態を目視により確認することができる。よって、上述した第一実施形態で示した洗浄便座１０と同様の効果に加えて、洗浄便座本体に液晶表示装置３を備えずに済むため、洗浄便座１０自体の小型化や、製造コストの低減を実現することができる。
【００４０】
＜第四実施形態＞
図９は、本発明に係る洗浄便座用局部表示装置の一例を示し、（ａ）は斜視図、（ｂ）は洗浄便座に取り付けた状態を示す平面図である。
この洗浄便座用局部表示装置９は、図９（ａ）に示すように、局部を洗浄する洗浄ノズル１を備えた洗浄便座１０に着脱自在なクリップ部９１と、蛇腹状のアーム９２の先端に設けられ、局部を撮像して画像を生成するカメラ部（撮像手段）２と、使用者の有する携帯電話（携帯端末）８に画像を送信可能な送信装置（送信手段）と、この送信装置に携帯電話８を接続可能な接続端子７と、カメラ部２を操作する操作パネル４と、を備えており、装置内部に設けられたバッテリーで作動するように構成されている。
【００４１】
カメラ部操作パネル４には、カメラ部２の電源スイッチ４１と、カメラ部２で作成された画像の倍率を調整するズームボタン４２が設けられている。
この洗浄便座用局部表示装置９は、洗浄ノズル１による局部の洗浄状態を把握したり、局部に薬を塗布等したりするために、局部を目視により確認したい場合に、図９（ｂ）に示すように、クリップ部９１を洗浄便座１０に取り付けて使用する。  
【００４２】
具体的には、まず、洗浄便座１０に取り付けられた洗浄便座用局部表示装置９の接続端子７に、使用者の有する携帯電話８を接続し、カメラ部操作パネル４におけるカメラ部２の電源スイッチ４１をＯＮにする。
次に、使用者は洗浄便座９に着席した状態で、蛇腹状アーム９２の一部を把持し、その先端に設けられたカメラ部２を局部近傍に配置する。これにより、携帯電話８の表示画面８１にはカメラ部２で撮像することにより生成された局部の画像が表示される。
この時、使用者が把持した蛇腹状アーム９２を移動させたり、カメラ部操作パネル４においてズームボタン４２を適宜押したりして、カメラ部２の撮像位置や画像の倍率を調整し、必要な箇所の画像が携帯電話８の表示画面８１に表示されるようにする。そして、使用者は、携帯電話８の表示画面８１に表示された局部の画像により、局部の洗浄状態や薬の塗布状態を確認し、必要に応じて、再度洗浄を行ったり、再度薬を塗布したりする。
【００４３】
すなわち、本実施形態における洗浄便座用局部表示装置９は、カメラ部２や携帯電話８に画像を送信する送信装置を備え、洗浄便座１０に着脱自在な構成としたことにより、洗浄便座本体を取り替えるのではなく、既存の洗浄便座に取り付けることで、局部の状態を目視により確認することができる。よって、局部の衛生管理を確実に行うことができる洗浄便座をより低コストで実現することができる。また、この洗浄便座用局部表示装置９を使用者が携帯することにより、局部の衛生管理をより確実に行うことができる。
【００４４】
なお、上述した第三実施形態及び第四実施形態では、接続端子７を利用して、送信装置から携帯電話８への画像の送信を行う場合について説明したが、送信装置から携帯電話８への画像の送信方法はこれに限らず、例えば、赤外線受信機能を備えた携帯電話８を用いることにより、赤外線信号を利用して、送信装置から携帯電話８への送信を行うようにしてもよい。
また、上述した第三実施形態及び第四実施形態では、画像情報のみを携帯電話８に送信する構成としたが、これに限らず、接続端子７や赤外線信号を介して、画像情報及び操作情報を携帯電話８に送信し、携帯電話８の表示画面８１に画像を表示するとともに、携帯電話８の操作パネルを各種操作パネル４，５として利用するようにしてもよい。これによれば、排泄等を補助・介護する介護者による操作が容易になるため、医療、福祉、介護等の幅広い分野でより有効に活用することができる。
【図面の簡単な説明】
【００４５】
【図１】本発明に係る洗浄便座の一例を示す平面図である。
【図２】図１の洗浄便座における洗浄ノズルを示し、（ａ）はカメラ部を使用していない場合の斜視図、（ｃ）はカメラ部を使用している場合の斜視図である。
【図３】図１の洗浄便座において液晶表示画面を示す平面図である。
【図４】本発明に係る洗浄便座におけるカメラ部の他の例を示す斜視図である。
【図５】本発明に係る洗浄便座の他の例を示し、（ａ）はカメラ部を使用していない場合の平面図、（ｂ）はカメラ部を使用している場合の平面図である。
【図６】本発明に係る洗浄便座の他の例を示す横断面図である。
【図７】本発明に係る洗浄便座における液晶表示画面の他の例を示す平面図である。
【図８】本発明に係る洗浄便座の他の例を示す平面図である。
【図９】本発明に係る洗浄便座用局部表示装置の一例を示し、（ａ）は斜視図、（ｂ）は洗浄便座に取り付けた状態を示す平面図である。
【符号の説明】
【００４６】
１    洗浄ノズル（洗浄手段）
２    カメラ部（撮像手段）
３    液晶表示画面（表示手段）
４    カメラ部操作パネル
５    洗浄ノズル操作パネル
６Ａ  取り付けアーム（取り付け手段）
６Ｂ  取り付け部材（取り付け手段）
７    接続端子
８    携帯電話（携帯端末）
９    洗浄便座用局部表示装置
１０    洗浄便座
１２    照明装置（照明手段）
８１    表示画面（表示手段）
【図１】
2008202282.tif 000003
【図２】
2008202282.tif 000004
【図３】
2008202282.tif 000005
【図４】
2008202282.tif 000006
【図５】
2008202282.tif 000007
【図６】
2008202282.tif 000008
【図７】
2008202282.tif 000009
【図８】
2008202282.tif 000010
【図９】
2008202282.tif 000011